(57)【要約】      （修正有）【課題】解錠手段を喪失してもサーバー装置の取り出し口を開扉でき、かつサーバー装置の盗難を防止することができるラック及び画像形成装置を提供する。【解決手段】サーバー装置を格納するラック１００は、サーバー装置の取り出し口に開閉自在に設けられ、ダイヤル錠１０２を取着された扉１０１と、扉ロック部材２００を固定された天板２０２とを備えている。扉１０１を閉扉した状態でダイヤル錠１０２を施錠すると、ダイヤル錠１０２は扉ロック部材２００と係合して開扉を禁止する。扉ロック部材２００は、天板２０２との固定状態を解除して、ダイヤル錠１０２との係合を解消する位置へ移動させると、ダイヤル錠１０２を施錠したまま開扉することができる。ラック１００の上部には画像形成部が載置、固定されており、画像形成部の一部を取り外さなければ、扉ロック部材２００の固定状態を解除できなくすることによって、サーバー装置の盗難が防止される。【選択図】図４
2019098725.tif 000002
【特許請求の範囲】
【請求項１】
上部に画像形成部を載置した状態で当該画像形成部を固定することができると共に、内部にコンピューターを収容することができるラックであって、
前記画像形成部を載置した状態で前記コンピューターの収容口を開閉する扉と、
閉扉した状態で施錠する錠前と、
施錠時に前記錠前と係合して、開扉を禁止するロック部材と、を備え、
前記ロック部材は、載置された前記画像形成部によって隠蔽される位置に配設されており、かつ、
前記画像形成部の載置の有無に関わらず、前記隠蔽の解除を条件とした上で、前記ロック部材は、前記錠前を施錠状態のままで、前記錠前との係合を解消して、開扉する操作ができる
ことを特徴とするラック。
【請求項２】
前記ロック部材は、マイナス形状とプラス形状との何れのドライバービットにも適合しない固定ネジを用いて、前記錠前と係合する位置に固定される
ことを特徴とする請求項１に記載のラック。
【請求項３】
前記ロック部材は、前記固定ネジを緩めると、前記錠前と係合する状態から、前記錠前と係合しない状態へ遷移することができる
ことを特徴とする請求項２に記載のラック。
【請求項４】
前記画像形成部をラック本体に固定するための固定部材を備え、
前記固定部材は、前記開扉をしなければ、前記画像形成部の固定を解除することができない位置に配設されている
ことを特徴とする請求項１に記載のラック。
【請求項５】
前記固定部材は、前記開扉をした状態でのみ、外部からアクセスすることができる位置に操作片を有しており、
前記操作片を操作することによって、前記画像形成部の固定と固定解除とが行われる
ことを特徴とする請求項４に記載のラック。
【請求項６】
請求項１から５の何れかに記載のラックと、
前記ラックの上部に載置した状態で、前記ラックに固定された画像形成部と、を備える
ことを特徴とする画像形成装置。
【請求項７】
前記隠蔽の解除は、前記画像形成部の一部を取り外し又は移動させることによって行われる
ことを特徴とする請求項６に記載の画像形成装置。
【請求項８】
請求項２または３に記載のラックと、
前記ラックの上部に載置した状態で、前記ラックに固定された画像形成部と、を備え、
前記隠蔽の解除は、前記画像形成部の一部を取り外し又は移動させることによって行われ、かつ、
当該隠蔽の解除によって、前記ロック部材を固定する前記固定ネジを緩めるために、外部から当該固定ネジに到達するための空間が確保される
ことを特徴とする画像形成装置。
【発明の詳細な説明】
【技術分野】
【０００１】
本発明は、ラック及び画像形成装置に関し、特に、画像形成部の下方に設けられたラックに収容されたサーバー装置の盗難を防止する技術に関する。
【背景技術】
【０００２】
従来、プリントサーバーやメールサーバー、Ｗｅｂサーバー等のサーバー装置をオフィスに設置する際の省スペース化策として、画像形成部の下方にサーバー装置を着脱可能に格納することができるラックを備えた画像形成装置が注目されている。このようなラック内にサーバー装置を格納すれば、画像形成装置とは別途、サーバー装置の設置場所を設ける場合と比較してオフィス機器の設置面積を低減して省スペース化を図ることができる。
【先行技術文献】
【特許文献】
【０００３】
【特許文献１】特開平１０−１２４７６０号公報
【発明の概要】
【発明が解決しようとする課題】
【０００４】
サーバー装置は様々な情報処理サービスを提供する必要上、高性能なコンピューターが使用され、そのようなコンピューターは高価であることが多い。このため、サーバー装置が専用のコンピュータールームに設置される場合には、コンピュータールームに施錠して、管理者以外の入室を禁止する等の盗難対策が施される。
【０００５】
しかしながら、画像形成装置内にサーバー装置を格納する場合、画像形成装置は多数のユーザーが利用し易いようにオフィス内に設置され、オフィスへの入室をサーバー装置の管理者のみに制限することはできないため、入室管理による盗難対策は不可能である。
【０００６】
このような問題に対して、例えば、サーバー装置の取り出し口に扉を設けて施錠する対策が考えられる。このようにすれば、解錠手段が無ければ開扉することができないので、ラックからサーバー装置を取り出して持ち去ることができなくなる。
【０００７】
一方、サーバー装置の保守などの必要上、開扉しなければならない場合もあるが、サーバー装置の管理者やユーザーが解錠手段を喪失すると、保守作業などが行えなくなってしまう。このような理由から、サーバー装置を格納するラックを備えた画像形成装置の販売会社もまた鍵を管理しておくのが望ましい。
【０００８】
しかしながら、個々のラックに種類の異なる鍵を設定すると、鍵の紛失に備えて画像形成装置の販売会社はすべての鍵についてスペアキーを保管しなければならず、鍵の管理コストが膨大になるので現実的でない。
【０００９】
一方、鍵の管理を容易にするために、すべてのラックの扉を解錠することができるマスターキーを販売会社が作成した場合、マスターキーをコピーされると、すべてのラックについて扉が解錠できるようになり、サーバー装置が盗み出されるおそれ生じる。また、マスターキーのコピーによって解錠できなくするためには、すべてのラックの錠を交換しなければならなくなり、その手間とコストは膨大である。
【００１０】
更に、暗証番号方式の鍵を採用した場合には、暗証番号を忘れると解錠できなくなるし、マスターキーを用意したのでは上述のようなセキュリティ上の問題の発生を回避することができない。
【００１１】
本発明は、上述のような問題に鑑みて為されたものであって、解錠手段を喪失してもサーバー装置の取り出し口を開扉でき、かつサーバー装置の盗難を防止することができるラック及び画像形成装置を提供することを目的とする。
【課題を解決するための手段】
【００１２】
上記目的を達成するため、本発明に係るラックは、上部に画像形成部を載置した状態で当該画像形成部を固定することができると共に、内部にコンピューターを収容することができるラックであって、前記画像形成部を載置した状態で前記コンピューターの収容口を開閉する扉と、閉扉した状態で施錠する錠前と、施錠時に前記錠前と係合して、開扉を禁止するロック部材と、を備え、前記ロック部材は、載置された前記画像形成部によって隠蔽される位置に配設されており、かつ、前記画像形成部の載置の有無に関わらず、前記隠蔽の解除を条件とした上で、前記ロック部材は、前記錠前を施錠状態のままで、前記錠前との係合を解消して、開扉する操作ができることを特徴とする。
【発明の効果】
【００１３】
このようにすれば、錠前を解錠するための鍵や暗証番号といった解錠手段を喪失した場合であっても、ロック部材と錠前との係合を解消することによって、開扉することができる。
【００１４】
また、ロック部材は画像形成部を載置することによって隠蔽される位置に配設されているので、画像形成部がラック上部に載置されている状態では直ちにロック部材にアクセスすることができない。このため、錠前が施錠されている状態で開扉され、ラック内部に収容されたコンピューターを持ち出すのに要する作業時間が長くなるので、コンピューターの盗難対策として有効である。
【００１５】
この場合において、前記ロック部材は、マイナス形状とプラス形状との何れのドライバービットにも適合しない固定ネジを用いて、前記錠前と係合する位置に固定されていてもよい。
【００１６】
また、前記ロック部材は、前記固定ネジを緩めると、前記錠前と係合する状態から、前記錠前と係合しない状態へ遷移することができてもよい。
【００１７】
また、前記画像形成部をラック本体に固定するための固定部材を備え、前記固定部材は、前記開扉をしなければ、前記画像形成部の固定を解除することができない位置に配設されていてもよい。
【００１８】
また、前記固定部材は、前記開扉をした状態でのみ、外部からアクセスすることができる位置に操作片を有しており、前記操作片を操作することによって、前記画像形成部の固定と固定解除とが行われることを特徴とする請求項４に記載のラック。
【００１９】
また、本発明に係る画像形成装置は、本発明に係るラックと、前記ラックの上部に載置した状態で、前記ラックに固定された画像形成部と、を備えることを特徴とする。
【００２０】
この場合において、前記隠蔽の解除は、前記画像形成部の一部を取り外し又は移動させることによって行われてもよい。当該隠蔽の解除によって、前記ロック部材を固定する固定ネジを緩めるために、外部から当該固定ネジに到達するための空間が確保される。
【図面の簡単な説明】
【００２１】
【図１】実施の形態に係る画像形成装置の主要な構成を示す外観斜視図である。
【図２】ラック１００と画像形成部１１０との連結構造を示す外観斜視図である。
【図３】（ａ）はラック１００の天板２０２を下方から見た外観斜視図であり、（ｂ）はラック１００と画像形成部１１０との連結構造を示す外観斜視図である。
【図４】画像形成装置１の正面に向かって右側方から見た扉１０１の外観斜視図である。
【図５】（ａ）は施錠構造を示す外観斜視図であり、（ｂ）は施錠時におけるダイヤル錠１０２と扉ロック部材２００の係合状態を示す外観斜視図である。
【図６】（ａ）は開口部６０１周辺を表す外観斜視図であり、（ｂ）は開口部６０１周辺の拡大図である。
【図７】（ａ）から（ｈ）は特殊ネジの頭部に形成された穴７０１と突起７０２の形状を例示する図である。
【発明を実施するための形態】
【００２２】
以下、本発明に係る画像形成装置の実施の形態について、図面を参照しながら説明する。
［１］画像形成装置の構成
まず、本実施の形態に係る画像形成装置の構成について説明する。
【００２３】
図１に示すように、画像形成装置１は、ラック１００とラック１１０の上部に配置された画像形成部１１０とからなっている。ラック１００は、両側方に扉１０１を有している。扉１０１は下方に揺動軸（開閉支点）を有しており、当該揺動軸を中心として矢印Ａ方向に揺動することによって開閉する。
【００２４】
扉１０１を開いた状態では、ラック１００にサーバー装置を出し入れすることができる。ラック１００におけるサーバー装置の取り付け幅は、本実施の形態では１９インチ（４８２．６ｍｍ）であるが、このサイズには限定されない。扉１０１の上方には、暗証番号によって施錠、解錠することができるダイヤル錠１０２が取り付けられている。
【００２５】
また、画像形成部１１０は所謂カラー複合機（MFP: Multi-Function Peripheral）であって、カラープリント機能、コピー機能、ファクシミリ通信機能などの機能を兼ね備えている。
【００２６】
ラック１００は、上部を画像形成部１１０の下部に固定される。図２及び図３に示すように、ラック１００の上部に天板２０２が取着されている。天板２０２の四隅にはそれぞれネジ２０１ａ、２０１ｂ、２０１ｃ及び２０１ｄの軸部が下方から上方へ向かって螺合すると共に、画像形成部１１０側へネジ先が突出している。
【００２７】
ネジ２０１ａ、２０１ｂ、２０１ｃ及び２０１ｄの頭部は、ラック１００の天板２０２の下方に位置しており、指でつまんで回せるように滑り止めの溝が多数側面に刻まれた円筒形状のツマミ部になっている。ラック１００の扉１０１を閉じた状態では、ラック１００の外部からネジ２０１ａ、２０１ｂ、２０１ｃ及び２０１ｄの頭部に触れることはできないが、扉１０１を開いた状態では、画像形成装置１の側方からネジ２０１ａ、２０１ｂ、２０１ｃ及び２０１ｄの頭部をつまんで回すことができるようになっている。
【００２８】
画像形成部１１０の下部には連結部材２１１ａ、２１１ｂ、２１１ｃ及び２１１ｄが取着されており、ネジ２０１ａ、２０１ｂ、２０１ｃ及び２０１ｄがそれぞれ連結部材２１１ａ、２１１ｂ、２１１ｃ及び２１１ｄに螺合することによって、ラック１００が画像形成部１１０に固定される。
【００２９】
画像形成部１１０は構造部材３０１を有しており、連結部材２１１ｂは、３本のネジ３０２によって構造部材３０１に固定されている。連結部材２１１ｂと同様にして、連結部材２１１ｃもまた構造部材３０１に固定されている。固定部材２１１ｂ及び固定部材２１１ｃと同様にして、連結部材２１１ａ及び２１１ｄは画像形成部１１０の別の構造部材に固定されている。
【００３０】
画像形成部１１０は重量が大きく、画像形成部１１０を移動させるためには大きな労力が必要になる。このため、ラック１００を画像形成部１１０に固定した状態でサーバー装置を持ち去ろうとすれば、画像形成装置１ごと移動させなければならないので、サーバー装置の持ち去るのが困難になる。
【００３１】
天板２０２には、扉ロック部材２００がネジ２０３を用いて固定されている。ダイヤル錠１０２の施錠時に、扉ロック部材２００がダイヤル錠１０２と係合することによって、扉１０１の開扉が禁止される。扉ロック部材２００の上方には、画像形成部１１０を支持する支持部材２２０が配設されており、支持部材２２０に設けられた貫通孔を通してネジ２０３を締結したり弛緩したりすることができる。
［２］ラック１００の扉１０１の施錠構造
次に、ラック１００の扉１０１の施錠構造について説明する。
【００３２】
以下においては、画像形成装置１の正面側から見て右側面の扉１０１を施錠するための施錠構造について説明するが、左側面の扉１０１も同様の施錠構造を有しているので、右側面の扉１０１の施錠構造の説明を以て左側面の扉１０１の施錠構造の説明に代える。
【００３３】
図４に示すように、扉１０１の上部にはダイヤル錠１０２が設けられている。後述のように、ダイヤル錠１０２は扉ロック部材２００と係合することによって扉１０１を施錠する。
【００３４】
図５（ａ）に示すように、扉ロック部材２００は、板金部材であって、平板な本体部５０１と本体部５０１から折り曲げられた平板状の係合部５０２とを有している。本体部５０１にはネジ穴が２つ設けられており、扉ロック部材２００は２本のネジ２０３を用いて天板２２０に固定されている。
【００３５】
扉ロック部材２００は、ネジ２０３を緩めた状態では、矢印Ｂ方向にスライドすることができる。扉ロック部材２００を画像形成装置１の正面側にスライドさせると、係合部５０２がダイヤル錠１０２のカムプレート５１３と係合して、施錠することができる状態になる（図５（ｂ））。カムプレート５１３は揺動軸５１４に固定されている。揺動軸５１４に固定されたツマミ５１２を回すと、カムプレート５１３は揺動軸５１４を揺動中心として矢印Ｃ方向に揺動して、施錠位置及び解錠位置へ移動することができる。
【００３６】
扉ロック部材２００を画像形成装置１の背面側にスライドさせると、係合部５０２もまた背面側にスライドして、ダイヤル錠１０２のカムプレート５１３の揺動範囲外へ退避する。このため、ツマミ５１２を回して回転軸５１４を回転させ、カムプレート５１３を揺動させても、カムプレート５１３は扉ロック部材２００の係合部５０２と係合することができない。
【００３７】
このように、ネジ２０３を緩めて、扉ロック部材２００を背面側へスライドさせれば、ダイヤル錠１０２を施錠した状態でも、扉１０１を開扉することができる。なお、ネジ２０３は、頭部が特殊な形状になっているため、ネジ２０３の頭部に適合した特殊ビットを有する工具を使用しなければ、取り外すことができない。
【００３８】
ダイヤル錠１０２は、例えば、ツマミ５１２を回してカムプレート５１３を倒し、解錠した状態で４桁のダイヤル値を適当に設定し、再度ツマミ５１２を回してカムプレート５１３を扉ロック部材２００の係合部５０２に係合させると、その状態でのダイヤル値が暗証番号として設定される。その後、ダイヤル値を変更すると、ダイヤル値を暗証番号に合わせなければ、ツマミ５１２を回して解錠することができなくなる。
［３］ネジ２０３へのアクセス
ダイヤル錠１０２の暗証番号を失念すると、ダイヤル錠１０２を解錠することができなくなる。このような場合には、扉ロック部材２００を固定するネジ２０３を緩めれば、ダイヤル錠１０２を解錠しなくても扉１０１を開扉することができる。
【００３９】
なお、図５（ａ）に示すように、ネジ２０３は扉ロック部材２００をラック１００の天板２０２の上面に載置した状態で固定する。従って、ネジ２０３にアクセスするためには、画像形成装置１の化粧板等の外装部材を取り外す必要がある。外装部材を固定するネジは、一般的な工具に適合する頭部を有しており、一般的な工具を用いて取り外すことができる。
【００４０】
従って、画像形成部１１０の製造や保守の際には特殊な工具が不要であるという意味で画像形成部１１０の製造や保守に関わる作業効率を低下させることなく、ネジ２０３へのアクセスを確保することができると共に、ネジ２０３へのアクセスを困難にすることができる。
［４］本実施の形態の効果
本実施の形態では、サーバー装置を収容したラック１００が画像形成部１１０に固定するためのネジ２０１ａ、２０１ｂ、２０１ｃ及び２０１ｄは、ラック１００の扉１０１を開扉しなければアクセスできないが、扉１０１はダイヤル錠１０２を用いて施錠することができるので、ダイヤル錠１０２の暗証番号を知らずに扉１０１を開扉することは困難になっている。
【００４１】
一方、画像形成部１１０は重量が大きいので、画像形成部１１０をラック１００に固定した画像形成装置１もまた重量が大きく、移動させるのが容易ではない。このようなラック１００にサーバー装置を収容すれば、ラック１００に収容された状態でサーバー装置を持ち出すのが困難になる。従って、サーバー装置の盗難を防止することができる。
【００４２】
当然ながら、暗証番号を知らなければダイヤル錠１０２を解錠することができないので、扉１０１を開扉してサーバー装置を持ち出すことも困難になっている。
【００４３】
また、ダイヤル錠１０２の暗証番号を失念した場合であっても、画像形成装置１の外装部材を取り外して扉ロック部材２００を固定するネジ２０３にアクセスできるようにし、ネジ２０３を緩めて扉ロック部材２００の係合部５０２がダイヤル錠１０２のカムプレート５１３と係合できない位置まで扉ロック部材２００をスライド移動させることができるので、ダイヤル錠１０２を解錠することなく扉１０１を開扉することができる。
【００４４】
従って、暗証番号を失念しても、ラック１００からサーバー装置を取り出したり、ラック１００を画像形成部１１０から取り外したりすることができるので、ユーザーの利便性を高めることができる。
【００４５】
なお、どの外装部材を取り外せば扉ロック部材２００を固定するネジ２０３にアクセスできるようになるかを一般に公開せず、また、複数の部材を取り外さなければネジ２０３にアクセスできないように画像形成部１１０が構成されている。また、外装部材を固定するネジ等の部品点数を多くするだけでも外装部材を取り外すための作業時間を長くすることができる。
【００４６】
このため、ネジ２０３にアクセスするには作業時間が長くかかり、さらに、ネジ２０３を取り外すためには特殊な工具が必要になるので、ネジ２０３にアクセスして、これを取り外し、扉ロック部材２００を移動させて扉１０１を開扉し、ラック１００内に収容されているサーバー装置を持ち出すのが困難な構成になっている。
［５］変形例
以上、本発明を実施の形態に基づいて説明してきたが、本発明が上述の実施の形態に限定されないのは勿論であり、以下のような変形例を実施することができる。
（５−１）上記実施の形態においては、扉ロック部材２００を固定するネジ２０３にアクセスするために画像形成部１１０の外装部材を取り外す場合を例にとって説明したが、本発明がこれに限定されないのは言うまでもなく、これに代えて次のようにしてもよい。
【００４７】
例えば、扉ロック部材２００を固定するネジ２０３にアクセスするための開口部を画像形成装置１に設けてもよい。具体的には、図６（ａ）に示すように、画像形成装置１の右側方の外壁部６００の下方には開口部６０１が設けられている。図６（ｂ）に示すように、開口部６０１の周囲には外壁部６００の他の部分よりも陥凹した段部６１１になっており、段部６１１にはネジ穴６１２ａ、６１２ｂ、６１２ｃ及び６１２ｄが設けられている。
【００４８】
蓋部材６０２は、開口部６０１並びに段部６１１を覆うように外壁部６００に取着される。蓋部材６０２は、段部６１１のネジ穴６１２ａ、６１２ｂ、６１２ｃ及び６１２ｄに対応する位置にネジ穴６１３ａ、６１３ｂ、６１３ｃ及び６１３ｄを有しており、ネジ６０３ａ、６０３ｂ、６０３ｃ及び６０３ｄを用いて段部６１１に固定される。ネジ６０３ａ、６０３ｂ、６０３ｃ及び６０３ｄは一般的な工具に適合する頭部を有している。
【００４９】
外壁部６００から蓋部材６０２を取り外した状態では、画像形成装置１の外部から開口部６０１を経由してネジ２０３にアクセスすることができる。
【００５０】
扉１０１を開扉する必要があるもののダイヤル錠１０２の暗証番号を失念した場合に、扉ロック部材２００を固定するネジ２０３に速やかにアクセスして、開扉を図ることができるのでユーザーの利便性や保守作業員の作業効率を高めることができる。
【００５１】
なお、扉ロック部材２００を固定するネジ２０３へのアクセスを困難にして、より確実にサーバー装置の盗難を防止するためには、蓋部材６０２を段部６１１に固定するネジの本数を多くするのが望ましい。
（５−２）上記実施の形態においては詳述しなかったが、扉ロック部材２００を固定するネジ２０３の頭部としては例えば以下のようなものを採用することができる。ネジの頭部がすりわり（図７（ａ））や十字穴（図７（ｂ））、プラスマイナス穴（図７（ｃ））である場合には、一般的なマイナスドライバーやプラスドライバーを用いて回すことができるので、このような頭部以外の頭部を有するネジが望ましい。
【００５２】
そのようなネジの頭部としては、例えば、六角穴（図７（ｄ））や四角穴（図７（ｅ））といった穴７０１を１つだけ有するものや、図７（ｆ）に示すように、複数の穴７０１を有するものが挙げられる。なお、マイナスドライバーやプラスドライバーほどではないが、近年では六角ドライバーも一般的になりつつあるため、ネジ２０３はマイナスドライバーやプラスドライバーの他、六角ドライバーにも適合しない頭部を有するのが望ましい。
【００５３】
更に、図７（ｇ）に示すように、一般的なドライバーの差し込みを防止するための突起７０２を穴の中に有していれば更に好適である。
（５−３）上記実施の形態においては、ダイヤル錠１０２を用いて扉１０１を施錠する場合を例にとって説明したが、本発明がこれに限定されないのは言うまでもなく、ダイヤル錠１０２に代えて他の錠を用いてもよい。ダイヤル錠１０２以外の錠であっても、扉ロック部材２００に係合して、扉１０１を施錠することができれば本発明の効果を得ることができる。
（５−４）上記実施の形態においては、画像形成部１１０の外装部材を取り外せば扉ロック部材２００を固定するネジ２０３にアクセスすることができる場合を例にとって説明したが、本発明がこれに限定されないのは言うまでもなく、外装部材を取り外すことなく移動させたり、外装部材に加えて内装部材の一部を取り外したり、移動させたりすることによって、ネジ２０３へのアクセスを確保してもよい。
【００５４】
例えば、扉１０１の真上の外装部材を開いた状態で、ラックの天板２０２の真上にある給紙カセットをスライド移動させることによって、ネジ２０３へのアクセスを確保してもよい。ネジ２０３へのアクセスの確保の仕方に関わらず、ネジ２０３へのアクセスの確保に作業時間や作業スキルが必要になればなるほどサーバー装置の持ち去りを防止する効果を高めることができる。
（５−５）上記実施の形態においては、扉１０１が画像形成装置１の両側方に設けられている場合を例にとって説明したが、本発明がこれに限定されないのは言うまでもなく、一方の側面にのみ扉１０１を設けてもよい。また、扉１０１を画像形成装置１の正面側に設けてもよく、扉１０１の個数や配置に関わらず本発明の効果を得ることができる。
（５−６）上記実施の形態においては、扉ロック部材２００がラック１００の天板２０２にネジ２０３を用いて固定される場合を例にとって説明したが、本発明がこれに限定されないのは言うまでもなく、これに代えて、扉ロック部材２００は画像形成部１１０の底部に固定し、かつ当該固定を解除した状態でダイヤル錠１０２のカムプレート５１３との係合を解除することができるようにしてもよい。
【００５５】
このようにすれば、画像形成部１１０の構成上、ラック１００の天板２０２に扉ロック部材２００を固定するネジ２０３へのアクセスを確保するのが困難であっても、画像形成部１１０の底部に扉ロック部材２００を固定するネジへのアクセスを確保するのが可能である場合には、本発明を実施できるようにするうえで有効である。
【００５６】
なお、この場合においても、扉ロック部材２００を画像形成部１１０の底部に固定するために用いるネジは、頭部が特殊形状であれば、サーバー装置の盗難を防止する上で好適である。
（５−７）上記実施の形態においては、画像形成部１１０が自動原稿搬送装置（ADF: Automatic Document Feeder）を備えていない場合を例にとって説明したが、本発明がこれに限定されないのは言うまでもなく、画像形成部１１０は自動原稿搬送装置を備えていてもよい。図１においては、画像形成部１１０の上部に自動原稿搬送装置を載置して利用することができる。
（５−８）上記実施の形態においては、画像形成部１１０がカラー複合機である場合を例にとって説明したが、本発明がこれに限定されないのは言うまでもなく、モノクロ複合機であってもよい。また、画像形成部１１０は、プリント機能のみを有するプリンター装置やスキャナーを有するコピー装置、更にファクシミリ通信機能を有するファクシミリ装置といった単機能機であってもよい。
【００５７】
また、例えば、ステープル機能やパンチ機能を有する後処理装置を追加したり、給紙カセットを増やしたりすれば、画像形成部１１０の重量を大きくすることができるので、サーバー装置の盗難を防止する上で有効である。
【産業上の利用可能性】
【００５８】
本発明に係るラック及び画像形成装置は、画像形成部の下方に設けられたラックに収容されたサーバー装置の盗難を防止することができる装置として有用である。
【符号の説明】
【００５９】
１………画像形成装置
１００…ラック
１０１…扉
１０２…ダイヤル錠
１１０…画像形成部
２００…扉ロック部材
２０３…特殊ネジ
【図１】
2019098725.tif 000003
【図２】
2019098725.tif 000004
【図３】
2019098725.tif 000005
【図４】
2019098725.tif 000006
【図５】
2019098725.tif 000007
【図６】
2019098725.tif 000008
【図７】
2019098725.tif 000009